(57)【要約】  １つまたはいくつかの挿入部品（１）がその中に挿入された本体（１９）で形成された建築用ブロック（２）であって、第一の、および相補的な第二の連結部（２８、２９）が主として１つまたはいくつかの合成材料製挿入部品（１）で形成され、このような建築用ブロック（２）を相互に連結できるようになっており、第一の連結部（２８）と第二の連結部（２９）は、隣接する建築用ブロック（２）同士が連結された後に、関係する連結後の建築用ブロック（２）が、関係する連結手段（２７）を相互に協働させることによって、移動不能に相互に連結されることを特徴とする建築用ブロック（２）。【選択図】図４
2015513020.tif 000002
【特許請求の範囲】
【請求項１】
建物またはその他の壁および間仕切り（３２）を建設するための建築用ブロック（２）であって、前記建築用ブロック（２）の第一の表面（２３）から突出する第一の連結部（２８）と、前記建築用ブロック（２）の反対の表面（２４）上の、それと相補的な第二の連結部（２９）と、を有する連結手段（２７）が設けられ、前記第一の連結部（２８）と前記第二の連結部（２９）が相補的であり、いくつかのこのような建築用ブロック（２）の組立中に、第一の建築用ブロック（２）の前記第一の連結部（２８）と隣接する建築用ブロック（２）の前記第二の連結部（２９）が相互に協働して、関係する前記建築用ブロック（２）を連結できるような建築用ブロック（２）において、
前記建築用ブロック（２）には、その中に１つまたはいくつかの挿入部品（１）が挿入される本体（１９）が設けられ、上記の第一と第二の連結部（２８、２９）が主として前記１つまたはいくつかの挿入部品（１）で形成され、前記第一の連結部（２８）と前記第二の連結部（２９）が、隣接する建築用ブロック（２）が連結された後に、関係する連結された前記建築用ブロック（２）が、関係する前記連結手段（２７）を相互に協働させることによって、移動不能に連結されるように相補的であることを特徴とする建築用ブロック（２）。
【請求項２】
請求項１に記載の建築用ブロック（２）において、
前記連結手段（２７）の前記第一の連結部（２８）が前記建築用ブロック（２）の上表面（２３）に設置され、前記連結手段（２７）の前記第二の連結部（２９）が前記建築用ブロック（２）の下表面（２４）に設置され、相互に積み重ねられた建築用ブロック（２）を、前記相補的な連結部（２７）を係合させることによって連結できるようになっていることを特徴とする建築用ブロック（２）。
【請求項３】
請求項２に記載の建築用ブロック（２）において、
前記第一の連結部（２８）が、最大幅（Ｓ）を有し、前記建築用ブロック（２）の前記上表面（２３）から最大高さ（Ｏ）にわたって突出する少なくとも１つの中央突出部で形成され、前記下表面（２４）に、底（３４）と２つの対向する側壁（３１）を有する長さ方向の溝（３０）が設けられ、この溝（３０）が前記建築用ブロック（２）の前記本体（１９）の中に形成され、前記下表面（２４）を通して中央に、前記建築用ブロック（２）の長さ方向（ＢＢ’）に、前記上表面（２３）上の前記少なくとも１つの突出部のそれぞれ前記最大高さ（Ｏ）と前記最大幅（Ｓ）より大きい深さ（Ｔ）で幅（Ｒ）にわたって延び、上側の建築用ブロック（２）が下側の建築用ブロック（２）の上に載せられた時に、前記下側の建築用ブロック（２）の前記突出部が前記上側の建築用ブロック（２）の前記溝（３０）に適合し、両方の建築用ブロック（２）がそれらの長さ方向（ＢＢ’）に、相互に重ねられた状態で、それらの長さの少なくとも一部にわたり、狭い範囲で移動できるようになっていることを特徴とする建築用ブロック（２）。
【請求項４】
請求項３に記載の建築用ブロック（２）において、
前記第二の連結部（２９）が前記下表面（２４）の前記長さ方向の溝（３０）の中に延び、それゆえ、相互に積み重ねられた建築用ブロック（２）の長さ方向（ＢＢ’）への上記の狭い範囲での相互の移動を制限し、前記第一の連結部（２８）と前記第二の連結部（２９）が、これらが係合すると、関係する前記建築用ブロック（２）の、前記長さ方向（ＢＢ’）に対して直角な方向への相互に遠ざかる移動が妨害されるように相補的であることを特徴とする建築用ブロック（２）。
【請求項５】
請求項４に記載の建築用ブロック（２）において、
前記少なくとも１つの突出部の前記ヘッドと前記上表面（２３）の間で、前記突出部に狭小部分（９）が設けられ、前記第二の連結部（２９）が、前記下表面（２４）の前記溝（３０）の前記対向する側壁（３１）を横切る方向に延びる少なくとも１つの対向する爪（１１）を含み、建築用ブロック（２）の相互に関する上記の狭い範囲の移動の結果、前記上側の建築用ブロック（２）の前記対向する歯（１１）が前記下側の建築用ブロック（２）の前記突出部の前記狭小部分（９）に引っ掛かることを特徴とする建築用ブロック（２）。
【請求項６】
請求項１乃至５の何れか１項に記載の建築用ブロック（２）において、
前記建築用ブロック（２）に、前記下表面（２４）から前記上表面（２３）まで前記建築用ブロック（２）の前記高さにわたって延びる少なくとも１つの通路（２６）が設けられ、そのような各通路（２６）が、スリーブ形の挿入部品（１）で形成される壁（２５）により境界が定められていることを特徴とする建築用ブロック（２）。
【請求項７】
請求項６に記載の建築用ブロック（２）において、
前記建築用ブロック（２）に、円筒形の壁（２５）を有する２つの上記の通路（２６）が設けられていることを特徴とする建築用ブロック（２）。
【請求項８】
請求項１乃至７の何れか１項に記載の建築用ブロック（２）において、
前記本体（１９）が石製本体（１９）に関し、その中に、各々が円筒形中空スリーブ（３）の形状で、前記建築用ブロック（２）の２つの側面（２２）間の中央に配置された２つの合成材料製挿入部品（１）が埋め込まれ、各スリーブ（３）の第一の自由端（８）の付近のいわゆるヘッド（５）が前記建築用ブロック（２）の前記上表面（２３）からある高さ（Ｏ）にわたり突出して前記第一の連結部（２８）を形成し、前記第一の自由端（８）と前記上表面（２３）の間の前記突出部に、例えば前記スリーブ（３）の前記第一の自由端（８）からある距離（Ｈ）に、前記建築用ブロック（２）の前記上表面（２３）に平行に設けられた円周溝（９）の形状の狭小部（９）が設けられ、各スリーブ（３）が、そこに中央の長さ方向の溝（３０）、すなわち前記建築用ブロック（２）の前記長さ方向（ＢＢ’）に向かう凹部が設けられた、前記建築用ブロック（２）の反対の下表面（２４）の付近まで延び、各スリーブ（３）の第二の自由端の付近のいわゆるフット（６）が前記中央の長さ方向の溝（３０）に設けられ、前記フット（６）に内側に向かう１対の爪（１１）が設けられて前記第二の連結部（２９）を形成することを特徴とする建築用ブロック（２）。
【請求項９】
請求項８に記載の建築用ブロック（２）において、
前記円筒形スリーブ（３）がそのヘッド（５）とそのフット（６）において、前記下表面（２４）の前記長さ方向の溝（３０）の幅（Ｒ）より小さい前記外径（Ｑ、Ｓ）を有し、前記挿入部品（１）の前記ヘッド（５）が前記上表面（２３）から突出する前記高さ（Ｏ）が前記下表面（２４）の前記長さ方向の溝（３０）の深さ（Ｔ）より小さく、下側の建築用ブロック（２）の前記挿入部品（１）の前記ヘッド（５）が上側の建築用ブロック（２）の前記長さ方向の溝（３０）の中に適合して、前記建築用ブロック（２）が相互に関して、前記長さ方向（ＢＢ’）に制限された、狭い範囲で移動できるようになっていることを特徴とする建築用ブロック（２）。
【請求項１０】
請求項９に記載の建築用ブロック（２）において、
前記円筒形挿入部品（１）の前記ヘッド（５）の前記円周溝（９）と前記挿入部品（１）の前記フット（６）の前記対向する爪（１１）が、相互に積み重ねられた建築用ブロック（２）の上記の連続的な移動中に、前記上側の建築用ブロック（２）の前記挿入部品（１）の前記フット（６）の前記対向する爪（１１）が前記下側の建築用ブロック（２）の前記挿入部品（１）のヘッド（５）の前記円周溝（９）にスナップ式に嵌合するように調整されることを特徴とする建築用ブロック（２）。
【請求項１１】
請求項１乃至１０の何れか１項に記載の建築用ブロック（２）において、
それに、ヘッドピース（３８）とベース（３９）を有する２つの部品からなる、少なくとも１つの挿入部品（１）が設けられ、前記ヘッドピース（３８）と前記ベース（３９）が相互に接続できるため、前記挿入部品（１）を前記本体（１９）内で組み立てることができることを特徴とする建築用ブロック（２）
【請求項１２】
請求項１１に記載の建築用ブロック（２）において、
前記ヘッドピース（３８）と前記ベース（３９）をねじ山結合（４２、４７）によって相互に接続でき、前記ヘッドピース（３８）の前記ベース（３９）に、前記本体（１９）内でのその回転を妨害するブロック手段（４８）が設けられ、ゴムリング（５２）が前記挿入部品（１）と前記本体（１９）の間に設置されることを特徴とする建築用ブロック（２）。
【請求項１３】
請求項１乃至１２の何れか１項に記載の建築用ブロック（２）に適用される挿入部品（１）において、
それに第一の連結部（２８）および相補的な第二の連結部（２９）が設けられ、第一の挿入部品（１）と隣接する挿入部品（１）が、第一の挿入部品（１）の前記第一の連結部（２８）と隣接する挿入部品（１）の前記第二の連結部（２９）を相互に協働させることによって相互に連結できることを特徴とする挿入部品（１）。
【請求項１４】
請求項１３に記載の挿入部品（１）において、
それが円筒形中空スリーブ（３）であり、これが、前記スリーブ（３）の自由端（８）からある距離（Ｈ）に円周溝（９）が設けられたヘッド（５）と、内側に向かう、対向する１対の鉤型の爪（１１）が設けられたフット（６）と、を有し、相互に積み重ねられた２つの挿入部品（１）が第一の挿入部品（１）の前記フット（６）の前記内側に向かう鉤型の爪（１１）を第二の挿入部品（１）の前記ヘッド（５）の前記円周溝（９）の中にスナップ式に嵌合させることによって、より詳しくは、前記挿入部品（１）を相互に向かって、その中心軸（ＡＡ’）に対して直角の方向に相対的に移動させる結果として連結できることを特徴とする挿入部品（１）。
【請求項１５】
請求項１２または１３に記載の挿入部品（１）において、
それがヘッドピース（３８）とベース（３９）を有する２つの部品から成る挿入部品（１）であり、前記挿入部品（１）、前記ヘッドピース（３８）、前記ベース（３９）を相互に接続できることを特徴とする挿入部品（１）。
【発明の詳細な説明】
【技術分野】
【０００１】
本発明は建築用ブロック、特に専門用語で通常、ファストビルディングブロックと呼ばれる軽量建築用ブロックに関する。
【０００２】
より詳しくは、本発明は、建物またはその他の壁および間仕切りを建設するための建築用ブロックに関し、これには、この建築用ブロックの第一の側から突出する第一の連結部と、建築用ブロックの、反対の第二の側における、それと相補的な第二の連結部が設けられ、第一の連結部と第二の連結部は相補的であり、複数のこのような建築用ブロックの組立中に、第一の建築用ブロックの第一の連結部と隣接する建築ブロックの第二の連結部を協働させる。
【０００３】
建築用ブロックの側とは、本明細書においては、従来のような主として梁形の建築用ブロックの６つの側のうちの１つであり、突出した凸部、歯、リブや、考えられる段差またはその他があってもこれらを考慮に入れない。さらに、このような側はまた、しばしば（表）面または側面と呼ばれ、より詳しくは１対の端面、上表面、下表面、１対の側面がある。
【０００４】
建築用ブロックを連結するための連結手段を備えるこのような建築用ブロックはすでに知られているが、これらにはいくつかの欠点と制約がある。
【０００５】
連結手段は通常、建築用ブロックのそれぞれ反対の面に相補的な舌状部と溝で形成される。
【０００６】
また、既知の建築用ブロックのこのような連結手段は、建築用ブロック同士の実際の連結を得るというより、隣接する建築用ブロックの正しい整列を簡単に得るように設計されている。
【０００７】
得られる連結はさらに、それが連結手段の設けられた側または面、さらには別の呼び方では連結表面に平行に加えられる小さな力に抵抗できる、というものである。
【０００８】
既知の建築用ブロックの他の欠点は、連結手段がかなり粗く、不正確であることが多く、したがって建築用ブロックの連結または整列はそこそこの程度であることである。
【０００９】
連結手段の設けられたこのような既知の建築用ブロックの他の欠点は、建築用ブロック間の実際の接続が常に、モルタルや接着剤またはその他によって行わなければならないことである。
【００１０】
モルタルや接着剤は、加工時間の点で制約があり、コストがかかり、経験またはプロの専門知識が必要であり、建設現場のほか建築中の建物も汚すことが知られている。
【００１１】
モルタルや接着剤の使用の必要性はさらに、既知の建築用ブロックの連結手段が限定的な範囲の連結機能しか果たさないことを示している。
【００１２】
そのうえ、モルタルや接着剤によって相互に固定された建築用ブロックを切り離すことは事実上不可能であるか、もしくは建築用ブロックに大きな損傷を与え、または建築用ブロックがモルタルや接着剤で再利用できないほど汚れる。
【００１３】
その結果、既知の建築用ブロックでは、例えば壁の建設中の間違いによって、または依頼主が設計変更を希望した場合等に、このような建築用ブロックで構成された壁を全面的または部分的に壊さなければならない場合、これは非常にコストのかかる作業である。
【００１４】
また、本発明は、既知の建築用ブロックの上記の欠点、そしておそらくはそれらの他の欠点の１つまたはいくつかを修復することを目的としている。
【００１５】
そのために、本発明は建物またはその他の壁または間仕切りを建設するための建築用ブロックに関し、これには、建築用ブロックの第一の表面から突出する第一の連結部と、建築用ブロックの反対の表面上の、それと相補的な第二の連結部と、を有する連結手段が設けられ、第一の連結部と第二の連結部が相補的であり、いくつかのこのような建築用ブロックの組立中に、第一の建築用ブロックの第一の連結部と隣接する建築用ブロックの第二の連結部を、それらを連結するために協働させ、建築用ブロックは、その中に１つまたはいくつかの挿入部品が設けられた本体で形成され、上記の第一と第二の連結部は主として前記１つまたはいくつかの挿入部品で形成され、第一の連結部と第二の連結部は、隣接する建築用ブロック同士が連結された後に、関係する連結された建築用ブロックが、関係する連結手段を相互に協働させることによって、移動不能に連結される程度まで相補的である。
【００１６】
本発明による建築用ブロックの主な利点は、建築用ブロックが一方で本体から、他方で１つまたはいくつかの挿入部品で作製され、各々が、その目的に適した材料で作製されることである。
【００１７】
一般に、本体は石で作製されるが、木またはプラスチックやその他の材料さえも、本発明から除外されない。
【００１８】
石とは、本明細書において、建築用ブロックの製造にとって一般的なあらゆる材料、例えば従来の打設コンクリート、珪砂と石灰とセメントの混合物からなる気泡コンクリート、珪砂と石灰の混合物、または異なるモルタルに基づく材料で作製されるブロックを意味し、あるいは焼成粘土およびその他さえも除外されない。
【００１９】
１つの利点は、本発明による建築用ブロックが、従来の建築用ブロックのすべてではないとしても多くの利点を提供し、経済的な方法で生産でき、耐久性があり、建物構造への応力と影響に構造的に耐えられるようになすことができるという点である。
【００２０】
他方で、本発明による建築用ブロックでは、その連結部はかなり高靱性の材料、好ましくは合成材料で作製するべきであるが、アルミニウムやスチール等の金属またはその他の材料も除外されない。
【００２１】
これは、その結果、連結部を非常に微細で精密な方法で仕上げることができ、ほとんどの多様な形態をとることができるという点で有利であり、合成材料はまた、ある程度の弾性を有し、合理的程度の引張力に耐えることもでき、これらは石の構成部品には付与しえない特徴である。
【００２２】
本発明による建築用ブロックの連結部を、合成材料等の高靱性丈夫な材料で製作するだけで、建築用ブロックは、合成材料が提供する精密さと形状自由度により移動不能に相互に連結でき、その一方で、合成材料の弾性を利用して連結を切り離すこともできる。
【００２３】
本発明による建築用ブロックの好ましい実施形態によれば、２つの合成材料の挿入部品が建築用ブロックの石部分に埋め込まれ、各々が円筒形中空のスリーブの形状であり、このスリーブは、建築用ブロックの２つの側面間の中央に位置付けられ、各スリーブの第一の自由端の付近のいわゆるヘッドは、建築用ブロックの上表面からある高さまで突出して第一の連結部を形成し、突出部は建築用ブロックの第一の自由端と上表面の間に、例えばスリーブの第一の自由端からある距離にある、建築用ブロックの上表面に平行な方向の周囲溝の形状の狭小部分を有し、各スリーブは、中央の長さ方向の溝、すなわち建築用ブロックの長さ方向に延びる凹部が設けられている、建築用ブロックの反対の下表面の付近まで延び、各スリーブの第二の自由端の付近のいわゆるフットは、中央の長さ方向の溝の中に設けられ、このフットは、内側に向かう１対の爪を有し、第二の連結部を形成する。
【００２４】
本実施形態による建築用ブロックの主な利点は、これらが非常に使いやすく、合成材料の単純な挿入部品で容易に製造できることである。
【００２５】
実際に、円筒形スリーブと、建築用ブロックの石製構成部品の下表面の長さ方向の溝の寸法と位置決めおよび、円周溝と対向する爪の寸法と位置決めが適正に相互に調整されることにより、相互に積み重ねられた本発明のこの実施形態による建築用ブロックは、爪が円周溝と係合するまで、建築用ブロックを長さ方向に狭い範囲で相対的に移動させることにより、非常に容易に連結できる。
【００２６】
本発明では、建築用ブロックの連結が得られ、連結表面に平行な、すなわち建築用ブロックの、連結手段が設けられた側または面に平行な方向の、長さ方向の、および建築用ブロックの長さ方向を横切る力と、連結表面を横切る方向の力の両方に対する抵抗が提供される。
【００２７】
本発明はまた、上述のような建築用ブロックに適用されるように設計された挿入部品にも関し、この挿入部品は円筒形中空スリーブであり、スリーブの自由端からある距離にある円周溝が設けられたヘッドと、内側に向かう、対向する１対の爪が設けられたフットと、を有し、相互に積み重ねられた２つの挿入部品は、第一の挿入部品のフットの内側に向かう鉤型の爪を第二の挿入部品のヘッドの円周溝の中にスナップ式に嵌合させること、より詳しくは、挿入部品同士を相互に向かって、その中心軸に直角な方向に相対的に移動させることにより、連結できる。
【００２８】
本発明によるこのような挿入部品は非常に製造しやすく、これらはまた、本発明による建築用ブロックの製造および／またはその中への適用にとっても現実的である。
【００２９】
本発明の特徴をよりよく説明するために、本発明による建築用ブロックのほか、このような建築用ブロックを製造するための本発明による挿入部品の以下の好ましい実施形態を、一切限定することなく、あくまでも例として、添付の図面を参照しながら説明する。
【図面の簡単な説明】
【００３０】
【図１】図１は、本発明による挿入部品の第一の実施形態を斜視図で示す。
【図２】図２は、図１による挿入部品の、平面ＩＩ−ＩＩ’にしたがって切断された断面図を示す。
【図３】図３は、図１による挿入部品の、平面ＩＩＩ−ＩＩＩ’にしたがって切断された断面図を示す。
【図４】図４は、本発明による建築用ブロックの第一の実施形態を斜視図で示す。
【図５】図５は、図４による本発明による建築用ブロックで建築された建物の一部分の斜視図である。
【図６】図６は、図５の壁部分を線ＶＩ−ＶＩ’で示されるように見た断面を示す。
【図７】図７は、図６のＦ７で示される部分の拡大図である。
【図８】図８は、図４の壁の、平面ＶＩＩＩ−ＶＩＩＩ’により切断された部分の斜視図である。
【図９】図９は、本発明による建築用ブロック２個、より詳しくはＦ９の部分をどのように連結できるかを拡大し、斜視図で示す。
【図１０】図１０は、本発明による挿入部品の第二の実施形態を斜視図で示す。
【図１１】図１１は、図１０による挿入部品の、平面ＸＩ−ＸＩ’にしたがって切断された断面図を示す。
【図１２】図１２は、図１０による挿入部品の、平面ＸＩＩ−ＸＩＩ’にしたがって切断された断面図を示す。
【図１３】図１３は、図１０による挿入部品の一部の斜視図である。
【図１４】図１４は、本発明による建築用ブロックの第一の実施形態を斜視図で示す。
【図１５】図１５は、図１４による本発明による建築用ブロックで建築された建物の一部分の斜視図である。
【図１６】図１６は、図１５の壁部分を線ＸＶＩ−ＸＶＩ’で示されるように見た断面を示す。
【図１７】図１７は、図１６のＦ１７で示される部分の拡大図である。
【図１８】図１８は、図１５の壁の、平面ＸＶＩＩＩ−ＸＶＩＩＩ’により切断された部分の斜視図である。
【図１９】図１９は、本発明による建築用ブロック２個、より詳しくはＦ１９の部分をどのように連結できるかを拡大し、斜視図で示す。
【発明を実施するための形態】
【００３１】
図１〜３に示される挿入部品１は、好ましくは合成材料の挿入部品１であるが、アルミニウムやスチール等の他の材料で作製することもできる。
【００３２】
挿入部品１はこの場合、図４に示されるような建築用ブロック２を製造するために設計される。
【００３３】
この実施形態において、入力部品１は主として円筒形の中空のスリーブ３で形成され、その中央部４における内径はＤ、壁厚はＥである。
【００３４】
円筒形中空のスリーブ３は、その壁厚Ｆが中央部４の壁厚Ｅより大きい拡張ヘッド５のほか、半径方向に延び、ヘッド５の壁厚Ｆよりさらに大きい幅Ｇを有するフランジ７が設けられたフット６と、を有する。
【００３５】
スリーブ３の第一の自由端８からある距離Ｈの、拡張ヘッド５の中に、幅Ｊ、深さＩの連続する円周溝が設けられている。
【００３６】
スリーブ３の第二の自由端、より詳しくは、挿入部品１のフット６を形成するフランジ７の側端１０には、内側に向かう、対向する鉤型の一対の爪１１が設けられている。
【００３７】
各爪１１は本発明によれば、フランジ７に対して直角の、距離Ｈに対応する高さＫにわたって延びる直立部分１２と、フランジ７に平行で、溝９の深さＩに対応する長さＭにわたって半径方向に、もう一方の爪１１に向かう、溝９の幅Ｊに対応する厚さＮの半径方向部分１３と、で形成される。
【００３８】
さらに、爪１１の各々の半径方向部分１３は、側面に丸み１４を有する。
【００３９】
外面１５において、この実施形態のスリーブ３にはまた、４つの長さ方向の外側リブ１６が設けられ、これらは挿入部品１のヘッド５とフット６の間に延びる。
【００４０】
挿入部品１はこの場合、スリーブ３の長さにわたり、その内面１８において２つの対向する内側リブ１７も有する。
【００４１】
爪１１と溝９の寸法を整合させることによって、より詳しくは、とりわけ各爪１１の半径方向の長さＭが溝９の深さＩに対応し、各爪１１の厚さＮが溝９の幅に適合するため、相補的な部品が形成される。
【００４２】
それゆえ、相互に積み重ねられた２つの挿入部品１は、第一の挿入部品１のフット５の内側に向かう鉤１１を第二の挿入部品１のヘッド５の円周溝９にスナップ式に嵌合させることによって、より詳しくは、挿入部品１を相互に向かって、その中心軸ＡＡ’に対して直角の方向に相対的に移動させることによって連結できる。
【００４３】
本発明によるこのような挿入部品１により、図４に示されるような本発明による建築用ブロック２が作製され、これは他のこのような建築用ブロック２に容易に連結できる。
【００４４】
このような建築用ブロック２は、石製本体１９で形成され、この実施形態では、その中に２つの合成材料製挿入部品１が挿入され、この場合、より詳しくは、合成材料製挿入部品１は建築用ブロック２の合成材料部分２０を形成するように石製本体１９の中に埋め込まれている。
【００４５】
代替案として、もちろん、本発明による建築用ブロック２を製造する際、これより多い、または少ない挿入部品１を使用することも除外されない。
【００４６】
例えば以下の実施形態も興味深いものとなりえ、これは、図４に示されるように、２つまたはいくつかのスリーブ形部品で構成され、合成材料のブリッジによって連結され、建築用ブロック２の注型中にスリーブ形部品間の正しい距離が常に自動的に維持されるようになっている１つのみの挿入部品１が適用される、というものである。
【００４７】
建築用ブロック２は基本的に、１対の端面２１と、１対の側面２２と、上表面２３と、下表面２４と、を有する梁形である。
【００４８】
２つの合成材料製挿入部品１は本発明によれば、建築用ブロック２の２つの側面２２間の中央に設置され、スリーブ形状の中空の合成材料製挿入部品１が各々、下表面２４から上表面２３までの建築用ブロック２の高さにわたって延びる通路２６の円筒形の壁２５を形成する。
【００４９】
本発明による建築用ブロック２について一般的なのは、それに連結手段２７が設けられていることであり、関係する連結手段２７を相互に協働させることによって、隣接する建築用ブロック２を移動不能に、しかし相互に切り離し可能に連結できる。
【００５０】
より詳しくは、連結手段２７は各建築用ブロック２の上表面２３から突出する第一の合成材料製連結部２８と、そのような建築用ブロック２の下表面２４の、それと相補的な第二の連結部２９と、を含む。
【００５１】
各円筒形スリーブ３のヘッド５は、本発明によれば、建築用ブロック２の上表面２３から高さＯにわたって突出し、第一の連結部２８を形成する。
【００５２】
この例において、高さＯは溝９までの距離Ｈと溝９の幅Ｊと最小空隙Ｐとの合計である。
【００５３】
そのヘッド５と上表面２３の間の突出部２８は、本発明によれば、狭小部分９を有し、これはこの場合、挿入部品１の円周溝９で形成される。
【００５４】
各円筒形スリーブ３は、建築用ブロック２の石製本体１９の下表面２４に設けられる中央の長さ方向の溝３０へと延びる。
【００５５】
換言すれば、中央の長さ方向の溝３０は建築ブロック２の長さ方向ＢＢ’に方向付けられ、円筒形スリーブ３のフット６はこの中央の長さ方向の溝３０の中にある。
【００５６】
この長さ方向の溝３０は両側が２つの側壁３１によって境界が定められ、各挿入部品１が建築用ブロック２の中に埋め込まれている間に、その各フット６にある内側に向かう１対の爪１１が確実に長さ方向の溝３０のこれらの側壁３１に対して直角に延び、第二の連結部２９を形成する。
【００５７】
円筒形スリーブ３は、本発明によれば、そのフット６において外径Ｑを有し、これは建築用ブロック２の下表面２４の長さ方向の溝３０の幅Ｒより小さく、この場合、挿入部品１のヘッド５もまたフット６より狭くされているため、このようなヘッド５の外径Ｓもまた、長さ方向の溝３０の幅Ｒより小さい。
【００５８】
挿入部品１のヘッド５が上面２４から突出する高さＯは、下表面２４の長さ方向の溝３０の深さＴよりさらに小さく、その一方で、爪１１の高さとフット６のフランジ７の厚さの合計Ｕは溝３０の深さＴに対応する。
【００５９】
挿入部品１と石製本体１９の寸法のほか、石製本体１９の中での挿入部品１の位置決めは、本発明によれば、下側の建築用ブロック２の挿入部品１のヘッド５が上側の建築用ブロック２の長さ方向の溝３０の中に適合し、相互に積み重ねられたこのような建築用ブロック２は依然として、長さ方向ＢＢ’に、相互に関して狭い範囲で相対的に移動でき、または換言すれば、その連結表面に沿って相互に向かって移動できる。
【００６０】
挿入部品１のヘッド５の円周溝９と挿入部品１のフット６の対向する爪１１は、本発明によれば、図９により詳しく示されているように、相互に積み重ねられた建築用ブロック２が長さ方向ＢＢ’に、上記のように連続して移動する間に、上側の建築用ブロック２の挿入部品１のフット６の対向する爪１１が、下側の建築用ブロック２の挿入部品１のヘッド５の円周溝９にスナップ式に嵌合し、これは図６〜８により詳しく示されている。
【００６１】
明瞭にするために、本明細書では上表面２３と下表面２４が使用されているが、本発明によれば、建築用ブロック２はもちろん、実際には逆にし、または他の向きに設置することもできる。
【００６２】
しかしながら、本明細書で提案されている向きは、建築用ブロック２の突出部２８が上に配置され、積み重ねやすくなるという利点を提供する。
【００６３】
このようにして、壁部３２は、図５と８に示されるように、非常に素早く、効率的に建築でき、建築用ブロック２の石製本体１９は相互に積み重ねられ、その間に、関係する建築用ブロック２が実際に合成材料部分２０によって連結される。
【００６４】
これは、モルタルや接着剤の使用を一切必要とせず、壁部３２は、相互に積み重ねられた建築用ブロック２をその長さ方向ＢＢ’に狭い範囲で遠ざけることによって、換言すれば、これらをその連結表面に沿って遠ざけることによって、再び容易に分解できる。
【００６５】
壁部３２を構成する際、建築用ブロック２の通路２６は相互に縦方向に整列させられ、これによって壁部３２の中に連続的な縦方向の中空の柱３３が形成され、これはケーブルまたはその他を敷設するのに好都合となりうる。
【００６６】
図に示される建築用ブロック２はまた、２つの挿入部品１を適当な方法で、容器形状の型の中に設置し、コンクリートモルタルを型内に流し込み、おそらくその後、振動および／または圧縮することによって非常に簡単に製造でき、その後、型を外し、このようにして得られた半完成品の建築用ブロックをさらに乾燥させることができる。
【００６７】
実際の方法によれば、ボードまたはその他が供給され、その上に、製造される建築用ブロック２、この場合、２つの合成材料製挿入部品１が設置され、上下が開放している壁型枠がその上に提供される。
【００６８】
この壁型枠には、２つの合成材料製挿入部品１の位置決めを調整する可能性を鑑み、上部に２つの位置決め手段、例えば２つの下向きの円錐形要素が設けられていてもよく、これは壁型枠の壁に関して正確な距離で設けられる。
【００６９】
コンクリートを流し込み、おそらく振動と圧縮を加えた後、壁型枠が上方に移動され、半完成品の建築用ブロックがその上に載ったボードまたはその他を適当な乾燥領域へと移動させることができる。
【００７０】
当然、本発明は上述の挿入部品１と建築用ブロック２の実施形態に限定されない。
【００７１】
好ましくは一般に考慮されるいくつかの態様は次のものである。
【００７２】
本発明による建築用ブロック２の好ましい実施形態によれば、第一の連結部品２８は少なくとも１つの中央の突出部で形成され、これはある最大幅を有し、建築用ブロック２の上表面２３からある最大高さまで突出し、下表面２４には、底部３４と２つの対向する側壁３１を有する長さ方向の溝３０が設けられ、この溝３０は、建築用ブロック２の石製本体１９の中に形成され、建築用ブロック２の長さ方向ＢＢ’に、下表面２４を通して中央に、深さＴで幅Ｒにわたって延び、これらは上表面２３の少なくとも１つの突出部のそれぞれ最大高さと最大幅より大きく、上側の建築用ブロック２を下側の建築用ブロック２の上に載せた時に、下側の建築用ブロック２の突出部が上側の建築用ブロック２の溝の中に適合し、両方の建築用ブロック２が、その長さ方向ＢＢ’に、換言すれば連結表面に沿って、相互に重ねられた状態で、少なくともその長さの一部にわたって狭い範囲で移動できるようになっている。
【００７３】
本発明による建築用ブロック２の好ましい特徴によれば、第二の連結部２９は下表面２４の長さ方向の溝３０の中に延び、第二の連結部２９は、相互に積み重ねられた建築用ブロック２の長さ方向ＢＢ’への上記のような狭い範囲の相互移動を制限する。
【００７４】
第一の連結部２８と第二の連結部２９は、本発明によれば、好ましくはこれらが係合した時に、連結表面における、および連結表面を横切る方向の、関係する建築用ブロックの長さ方向ＢＢ’に直角の方向への引き離しが阻害されるような程度に相補的である。
【００７５】
本発明の他の態様は、少なくとも１つの突出部のヘッドと上面２３の間において、突出部に狭小部分９が設けられ、第二の連結部２９が下表面２４の溝３０の対向する側壁３１を横切る方向に延びる少なくとも１対の対向する爪１１を含み、建築用ブロック２の上記の狭い範囲での相互に関する運動の結果、上側の建築用ブロック２の対向する爪１１が下側の建築用ブロック２の突出部の狭小部分９に引っ掛かる、という点である。
【００７６】
あるいは、本発明によれば、建築用ブロック２を相互に、または例えば、図に示される実施形態のように、中空壁構造内の第二のファサードシート等の他の建築要素と連結するための追加の連結手段３５を、建築用ブロック２に溝３６を設け、その中に金属製の接続ロッド３７または要素を挿入できるようにすることによって提供することも除外されない。
【００７７】
本発明による建築用ブロック２に断熱層を設けることも可能である。
【００７８】
図１０〜１３は、本発明による挿入部品１の他の実現可能な実施形態を示しており、このような挿入部品１はこの場合もまた、２つの部分３８と３９で構成される円筒形中空スリーブ３を形成するが、それぞれヘッドピース３８とベース３９は相互に螺合される。
【００７９】
ヘッドピース３８は、前述の実施形態と同様に、円筒形ヘッドピース部４０から作製されるが、この場合、これは挿入部品１の中央部４の一部のみを形成し、前述の実施形態のように、拡張ヘッド５が円筒形ヘッドピース部４０に接続される。
【００８０】
円筒形ヘッドピース部４０は、壁厚Ｅと外径Ｄ’を有し、雄ねじ４２が円筒形ヘッドピース部４０の自由端４１の外面１５に設けられる。
【００８１】
この第二の実施形態のヘッドピース３８の拡張ヘッド５はまた、若干異なる構成を有し、より詳しくは、六角形のソケットヘッドの形状であり、これは図１８と１９により明瞭に示されており、拡張ヘッド５の自由端８のヘッドピース３８の内側開口部４３には六角形の開口部４４が設けられ、この開口部４４は六角形のアレンキーによってヘッドピース３８を回転させることができるように設計される。
【００８２】
拡張ヘッド５には依然として、前述の実施形態のように、深さＩと幅Ｊの連続的な円周溝９が設けられ、この溝９は前述の実施形態と同じ機能を有する。
【００８３】
ベース３９には、前述の実施形態と同様に、拡張フット６が設けられ、これは挿入部品１の中央部４の一部も形成する円筒形ベース部４５につながるフランジ７を有する。
【００８４】
この円筒形ベース部４５は、円筒形ヘッドピース部４０の外径Ｄ’に対応する内径Ｄを有し、円筒形ベース部４５の自由端４６の付近のその内面１８には雌ねじ４７が設けられ、これは円筒形ヘッドピース部４０の雄ねじ４２と協働できる。
【００８５】
ベース３９の外面１５に複数の外側リブ４８、より詳しくは、この場合、２つのリブ４８が設けられ、これは正反対にあり、リブはベース３９の中心軸ＡＡ’に平行な方向に延びる。
【００８６】
例えば図１８の断面のからわかるように、ベース３９は石製本体１９の通路２６の中に設置されることになり、外側リブ４８が、この通路２６に横に設けられ、外側リブ４８と相補的なスロット４９の中に設置され、それによってベース３９が通路２６に取り付けられると、ベース３９は石製本体１９に関して回転できなくなる。
【００８７】
また、これらの外側リブ４８は、ベース３９がまったく回転しないようにするための、ある種のブロック手段とみなしてもよい。
【００８８】
図１３に明瞭に示されているように、ベース３９のフランジ７はまた、前述の実施形態のそれと幾分異なり、フランジ７は円形ではなく、ある種の突起または耳５０が、より詳しくは外側リブ４８の位置に設けられ、円筒形ベース部４５の全体のほか外側リブ４８がフランジ７により形成される一定の幅Ｇ’を有する連続帯板５１により取り囲まれている。
【００８９】
実際に、この第二の実施形態において、フランジ７の上の帯板５１は、ゴムリング５２のための支持面７として機能し、これはフランジ７と本発明による建築用ブロック２の石製本体１９の間に設けられ、これは例えば図１７により詳しく示されている。
【００９０】
ヘッドピース３８の外面１５には、複数の短い外側支持部５３、この場合、４つの外側支持部５３があり、円筒形ヘッドピース部４０の円周に均等に分散されており、外側支持部５３は平坦で、三角形で、その１つの長方形の側がヘッド５を支持する。
【００９１】
これらの支持部５３は、ベース３９の外側リブ４８と反対に、石製本体１９のヘッドピース３８の回転を妨害しないように設計される点に留意することが重要である。
【００９２】
実際に、ヘッドピース３８はベース３９に螺合されると、支持部５３は、円筒形ベース部４５からヘッド５まで延びる直径Ｑの想像上の円筒５４の内部に位置付けられる。
【００９３】
それゆえ、支持部５３により、ヘッドピース３８は、ヘッドピース３８が本発明による建築用ブロック２の石製本体１９の通路２６に挿入されると、確実に適正に中央に留まり、ヘッドピース３８はしかしながら、依然として通路２６の中で、より詳しくはアレンキーによって六角形の開口部４４に設置されたヘッドピース３８を回転することによって回転できる。
【００９４】
この形態では、取り付けられた状態で、ヘッドピースと石製本体１９の間にある開口部があり、これは挿入部品１が埋め込まれる実施形態にはない。
【００９５】
ベース３９のフランジ７には、前述の実施形態と同様に、対向する１対の爪１１が設けられ、爪１１は全く同じ機能を有し、それゆえ、隣接する挿入部品１のヘッドピース３８に設けられた円周溝９と協働して、関係する挿入部品１を連結する。
【００９６】
図１０〜１２の実施形態によるこのような挿入部品１は、図１４〜１９に示されるように、本発明による建築用ブロック２を連結するために極めて実用的である。
【００９７】
本発明による挿入部品１と建築用ブロック２の前述の実施形態との主な相違点は、２つの部品からなる挿入部品１が石製本体１９の中に、この石製本体１９がすでに硬化され、それゆえ連結手段２７を有する建築用ブロック２を構成した後に設置されるように設計され、しかしながら、製造中に挿入部品１が建築用ブロック２の中に埋め込まれない、という点である。
【００９８】
ゴムリング５２を有するベース３０は、本発明によれば、まず石製本体１９の底の、その通路２６の中に設置され、これは前述のように、ベース３９の外側リブ４８と通路２６のスロット４９の協働によって回転しないように完全にブロックされる。
【００９９】
次に、ヘッドピース３８が石製本体１９の上側の通路２６の中に設置され、これはアレンキーによってベース３８に螺合させることができる。
【０１００】
ゴムリング２はある弾性を有し、その結果、例えば製造公差による石製本体１９の高さのばらつきを容易に補償でき、ヘッドピース３８を螺合することにより、このゴムリング２もまた締められ、組み立てられた挿入部品１が望ましくない方法で緩まないようになっている。
【０１０１】
図１４に示される実施形態において、石製本体１９の、挿入部品１のための通路２６の隣に穴５５も設けられている。
【０１０２】
これらの穴５５は、例えば、断熱材を挿入するために使用でき、またはこれらは電気ケーブルまたはその他を適用するための壁部３２の追加のチャネルとしての機能を果たしてもよい。
【０１０３】
穴５５はまた、補強材を挿入するため、または、それが硬化した後にこのような補強を形成するか、または断熱材として使用される何らかの物質を注入するために使用することも可能である。
【０１０４】
当然、本発明による挿入部品１と建築用ブロック２の他の多くの実施形態もまた除外されない。
【０１０５】
第二の実施形態において、２つの部品からなる挿入部品１は石製本体１９の中で組み立てることができ、これは、ヘッドピース３８とベース３９が、ねじ山４２と４７により相互に螺合することで接続できるからである。
【０１０６】
当然、本発明によれば、ベース３９とヘッドピース３８を接続するためのその他のシステム、例えばクリックまたはスナップ接続、バヨネットキャッチまたはその他を適用することも除外されない。
【０１０７】
ヘッドピース３８とベース３９はまた、何れかに外歯を設けることによって、またもう一方に外歯と協働する内歯を設けることによって接続することもでき、外歯を有する部品が内歯を有する部品の中に、例えばハンマーまたはその他によって押し込まれ、または打ち込まれ、外歯が内歯に貫通する間に、両方の歯が同時に弾性変形する。
【０１０８】
本発明はまた、より広い意味で、好ましくは石製本体１９の形の建築要素と、建築要素に挿入し、固定でき、そのような建築要素を相互に連結できる連結手段２７として機能する１つまたはいくつかの挿入部品１との複合体として説明できる。
【０１０９】
挿入部品には、本発明によれば、組立後に建築要素の第一の表面２３から突出する第一の連結部２８と、組立後に連結要素の反対の表面２４の位置する相補的な第二の連結部２９が設けられる。
【０１１０】
第一の連結部２８と第二の連結部２９は、隣接する建築要素が連結された後に、連結手段２７を相互に協働させることにより、関係する連結後の建設要素が移動不能に、しかし、切り離し可能に連結されるように相補的である。
【０１１１】
図１〜９の第一の実施形態では、このような複合体は、隣接する同様の建築ブロック２に連結される連結手段２７の設けられた建築用ブロック２を形成し、例えば合成材料により作製された１つまたはいくつかの挿入部品１は、建築用ブロック２の製造中に本体１９の中に埋め込まれ、それゆえ、本体１９の硬化中にその中に固定される。
【０１１２】
図１０〜１９の第二実施形態では、このような複合体は、相互に連結可能な２つの部分３８と３９を有する少なくとも１つの挿入部品１を含み、この挿入部品１は、前記連結によって本体１９の中に固定して、隣接する同様の建築用ブロック２に連結されるための連結手段２７の設けられた建築用ブロック２を形成することができる。
【０１１３】
この第二の実施形態において、挿入部品１はそれゆえ、後の段階で、より詳しくは本体１９がすでに硬化した後に建築要素の中に固定される。
【０１１４】
図に示されていないまた別の実施形態において、幾分異なる原理を適用してもよく、建築要素と少なくとも１つの挿入部品１の上記の複合体は、挿入部品１を建築要素の中に緩い状態で設置できるが、この複合体を隣接する同様の複合体に連結することによって、上記の挿入部品１も建築要素の中に固定される。
【０１１５】
換言すれば、この実施形態では、挿入部品１は当初、建築要素の中に固定されず、他の建築要素に連結されている時にのみ固定される。
【０１１６】
好ましい実施形態において、これは、挿入部品１を第一の連結部２８と相補的な第二の連結部２９が一緒にバヨネットキャッチを形成するように設計することによって得られる。
【０１１７】
挿入部品１は、本発明によれば、スリーブ形であり、拡張フットが設けられ、それが建築要素の対応するスリーブ形の穴の中に設置された後、これはそのフットが建築要素に当たって支えられることができる。
【０１１８】
挿入部品は、並進運動と回転からなる複合的な移動によって他の挿入部品に連結されたら、建築要素の中に固定することができる。
【０１１９】
バヨネットキャッチは、本発明によれば、好ましくは挿入部品が拡張フットに関して幾分締められる、というものである。
【０１２０】
代替的な実施形態は、挿入部品１を合成材料の差し込み口として設計することであり、第一の連結部２８には外歯が設けられ、第二の連結部２９には内歯が設けられ、隣接する建築要素の合成材料製挿入部品１の外歯を上記の内歯に挿入することによって、差し込み口が拡張し、これを関係する建築要素の中に固定できる。
【０１２１】
この実施形態ではまた、挿入部品が、それを他の建築要素に連結した後でのみ、建築要素の中に固定されることが明らかになる。
【０１２２】
本発明は、例として文章で説明され、添付の図面に示されている本発明による挿入部品１のほか、建築用ブロック２の実施形態に一切限定されず、反対に、本発明によるこのような挿入部品１またはこのような建築用ブロック２は、その他多くの方法で作製でき、これらも依然として本発明の範囲に含まれる。
【図１】
2015513020.tif 000003
【図２】
2015513020.tif 000004
【図３】
2015513020.tif 000005
【図４】
2015513020.tif 000006
【図５】
2015513020.tif 000007
【図６】
2015513020.tif 000008
【図７】
2015513020.tif 000009
【図８】
2015513020.tif 000010
【図９】
2015513020.tif 000011
【図１０】
2015513020.tif 000012
【図１１】
2015513020.tif 000013
【図１２】
2015513020.tif 000014
【図１３】
2015513020.tif 000015
【図１４】
2015513020.tif 000016
【図１５】
2015513020.tif 000017
【図１６】
2015513020.tif 000018
【図１７】
2015513020.tif 000019
【図１８】
2015513020.tif 000020
【図１９】
2015513020.tif 000021
【国際調査報告】
2015513020.tif 000022
2015513020.tif 000023